(57)【要約】【課題】書類を立てかけて整理・収納するために腰のない書類を立てかけておいても書類の途中から腰折れせずくずれて倒れないようにすること。【解決手段】書類を立てかける部分を湾曲状にすることにより立てかけた書類も書類の下部から上部にかけて湾曲状になり腰のない書類であっても腰折れせず立てかけたままの状態を保つことができるようになり、書類を立てかけて整理・収納できる。【選択図】　　図１
2004089639.tif 000002
【特許請求の範囲】
【請求項１】
基板（１）に対して水平方向に湾曲させた壁（２）を基板（１）から上方向に少なくとも２つ以上並行に立てて固定することにより、湾曲させた壁（２）と湾曲させた壁（２）の間に沿って同じように湾曲した溝を作り書類立て部（３）とし、書類立て部（３）に書類を立てると書類は湾曲させた溝に沿って立てられるため書類も溝に沿って湾曲して立てかけられることになり、書類に腰がなくても立てかけたままの状態で保持することができる書類立て。
【発明の詳細な説明】
【０００１】
【発明の属する技術分野】
本発明は、立てかけた場合、厚みがあったり、腰が強いため腰折れして倒れない本などと違い、腰が折れて立てかけたまま保持できない書類を横に寝かせて整理しておくのではなく、立てたままの状態でおいておくことができるように書類立て部を湾曲状にすることで書類やパンフレットの腰が折れて倒れないように湾曲状に沿って立てかける書類立てに関する。
【０００２】
【従来の技術】
従来、書類を立てかける場合、一枚でも複数枚でも単に立てかけると腰が弱いため腰が折れてしまい倒れてしまうため、ファイルボックスに入れて収納したり、プラスチック製のクリアーファイルに入れてから立てかけたり、本と本の間にはさんで立てかけたりしなければ立てかけた状態で保持することができなかったので、立てかけるのをあきらめて横に寝かせて整理・収納しておいておくことも多かったのである。
【０００３】
【発明が解決しようとする課題】
書類は、薄い紙なので腰が弱く一枚であっても複数枚であっても立てかけると腰が折れて倒れてしまったり、くずれて横に寝てしまうのであり、腰の強い本を本立てに立てておくように書類やパンフレットを立てかけるには、ファイルボックスに入れて収納するかプラスチック製のクリアーファイルに入れてから立てかけるか、本と本の間や狭い隙間を見つけて立てかけるしかなく、書類をおくのに横に寝かせておいておくより仕方なかったが場所を取ってしまいじゃまになることか多く、立てかけておいても倒れたり、くずれたりしない簡単に立てかけておける事務用品としての書類立てが求められていた。
【０００４】
【課題を解決するための手段】
腰の弱い書類を立てかけた場合、書類が折れて倒れたり、くずれたりしないように書類が湾曲するように立てかけられるように書類立て部を湾曲状にし、そこに立てかけた書類は湾曲状に沿って立てかけられることにより、書類が折れ曲がる位の強い力が加えられたり、書類立て部から抜き取られない限り立てかけられた書類が一枚であっても複数枚であっても、書類を立てかけたまま保持することがてきるようになるのであり、使用するときは机の上等におかれた本発明の書類立て部に沿って書類の下部を入れれば良いので簡単に繰り返し使用することができるのである。
【０００５】
【発明の実施の形態】
本発明は、腰のない書類を立てかけても、くずれず立てかけたままの状態を保持できるように湾曲状の書類立て部を有する書類立てである。
【０００６】
基板に対して水平方向に湾曲させた壁と湾曲させた壁を並行にして基板に対して垂直方向に立てることで溝を作り書類立て部とするのであるが、基板の上に湾曲させた壁の下側を固定し、基板から上方向に湾曲させた壁を設けると湾曲させた壁が倒れず溝ができ書類立て部となるのであり、湾曲させた壁をさらに増やして行くことにより溝が増え書類立て部の数も増えるのである。
【０００７】
書類立て部は、並行に立てられた２つの湾曲させた壁の間にできる溝を書類立て部とすることで溝は２つの湾曲させた壁に沿って作られるため書類立て部とした溝も湾曲状になるのである。
【０００８】
書類立て部は湾曲状とし、立てかける書類の下部が湾曲状に沿って立てかけられることにより書類の上部まで湾曲状に沿った形で立てかけられるのであり、書類が湾曲状になることで腰のない書類でも途中から腰折れしなくなり倒れることがなくなるので効果的である。
【０００９】
湾曲させた書類立て部の湾曲具合は、湾曲状を通りこして円形状であっても波状であっても良いが、簡単に立てかけたり、抜き取ったりしやすさを考えれば円形状に近づくほど書類が元に戻ろうとする力が働くため立てかける枚数が増えるほど立てかけたり、抜き取ったりしずらくなるのである。また、書類立て部が直線状に近づくほど書類が腰折れ状態となりやすいので立てかけたままの状態を保持することが　しくなるのであるから、立てかけた腰のない書類の下部から上部が湾曲状になり立てかけたままの状態を保持できる湾曲状のレベルであれば良く、円形状にするより立てかけやすく抜き取りもスムーズに行なえ効果的である。
【００１０】
立てかけた書類の下部から上部までが湾曲状になっている状態を保つことで腰のない書類を立てかけたままの状態で保持できるのであるから湾曲にさせた壁どうしは並行にした方が良く、湾曲させた壁の高さは、立てかけた書類より高くなれば書類を取り出しにくくなるので、立てかけた書類が湾曲状から元に戻ろうとする力を抑えることができる高さになっていれば立てかける書類より低くて良いのである。
【００１１】
２つの湾曲させた壁によってできる書類立て部の溝の巾は、広すぎると立てかけた書類の下辺が滑って移動し立てかけた書類が斜めを向き書類の下部から上部まで湾曲状を保っていることが難しくなり、狭すぎると立てかける書類の枚数が少なくなるので立てかける書類が一枚でも湾曲状を保持でき、その上でなるべく多くの枚数の書類を立てかけられる広さにすると効果的である。
【００１２】
少ない枚数の書類を立てかけたとき書類立て部の溝の隙間が余っていればいるほど書類の下部から上部まで湾曲状を保っていられにくくなるのであるが、溝を狭くしすぎると多くの枚数の書類を立てかけられなくなるので、書類立て部を増やし書類を入れる書類立て部の溝を増やせば一枚の書類でも立てかけられ、多くの書類でも分けて立てかけられるので便利である。
【００１３】
書類立て部の溝を作るための湾曲させた壁の高さは立てかけた書類が湾曲状に保てれば湾曲させた壁の高さを合わせる必要はないが、湾曲させた壁の高さを不均一にすると書類を取り出しにくくなるので、同じ高さにするか階段状に高くなったり低くなったりした方が良いのである。
【００１４】
書類立て部の溝を作るための湾曲させた壁の高さはなるべく立てかける書類より低くすることにより立てかけてある書類の判別がしやすく便利である。
【００１５】
書類立て部とする溝の長さは、湾曲させた壁の長さで決められ、立てかけた書類が湾曲状を保つことができれば長くても短くても良いが、湾曲させた壁が短くなるほど書類立て部の溝の長さも短くなり、短くなるほど書類が湾曲状を保てなくなるので短くするほど強く湾曲させた方が立てかけた書類が湾曲状を保ちやすくなり効果的である。
【００１６】
本発明の書類立ての材質としては、立てかけた書類が湾曲状に保てれば硬質樹脂、軟質樹脂、硬質ゴム、軟質ゴム、金属、硬紙等単独で構成しても、組み合わせて構成しても良いのである。
【００１７】
立てかけた書類が折角湾曲状となり腰折れせず立てかけた状態を保っていても基板ごと書類立て部自体が立てかけた書類と一緒に倒れてしまっては意味をなさないので基板はなるべく書類を立てかけても倒れないようにすると効果的である。
【００１８】
最も外側に位置する湾曲させた壁の背面に磁石部を設けることにより本発明を机の上において使用する以外金属壁面に取りつけたまま書類立て部に書類やメモ用紙を立てかけて使用することができるようになるので便利である。
【００１９】
また、磁石で取りつけられない木製やコンクリートの壁面には、ネジを使って取りつけたり、接着剤で接着させて取りつけて書類立て部に書類やメモ用紙を立てかけて使用することもできるので便利である。
【００２０】
【実施例】
実施例について図面を参照して説明すると、図１において、基板（１）に対して水平方向に湾曲させた壁（２）を少なくとも２つ以上並行に基板（１）から上方向に取りつけて固定することで湾曲させた壁（２）と湾曲させた壁（２）の間に沿って同じように湾曲した溝を作り書類立て部（３）とする。
【００２１】
図２において、書類立て部（３）を設ける方法として、基板（１）に対して水平方向に湾曲させた壁（２）を少なくとも２つ以上並行に基板（１）から上方向に取りつけることで湾曲させた壁（２）と湾曲させた壁（２）の間に同じように湾曲した溝ができ書類立て部（３）とする内容を示した平面図である。
【００２２】
図３に示される実施例では、本発明の使用状態を示す図であり、湾曲させた壁（２）と湾曲させた壁（２）の間にできる溝も基板（１）から上方向に並行に取りつけられた２つの湾曲させた壁（２）に沿って湾曲状となり、この溝を書類を立てるための書類立て部（３）とすることで、書類立て部（３）に書類を立てかけると書類立て部（３）に沿って立てかけた書類も書類の下部から上部にかけて湾曲状になるように立てかけられることとなり、腰のない書類を立てかけても書類は腰折れし倒れずに立てかけた状態を保持できるようになるのである。
【００２３】
本発明は、書類やパンフレットのような腰のないものを立てかける場合に効果的であり、湾曲させた壁（２）を少なくとも２つ以上設けることでできる溝がひとつできればその溝を書類立て部（３）とし、湾曲させた壁（２）を増やして行くことで書類立て部（３）も増やすことができるのである。
【００２４】
図４においては、本発明の参考実施例の平面図であり、２つの湾曲させた壁（２）の間に一方の湾曲させた壁（２）の壁面から反対側の壁面に向かって毛状の紙押さえ（４）を複数取りつけることにより、書類立て部（３）の溝の巾を広くしても２つの湾曲させた壁（２）の間に設けた紙押さえ（４）が書類に接触しているため立てかける書類の枚数が少なく２つの湾曲させた壁（２）の間と書類の間に隙間ができず効果的である。紙押さえ（４）は毛状のかわりに細いゴム棒を設けても良いのである。
【００２５】
図５においては、本発明を机の上において使用するのではなく、金属壁面に取りつけて使用するために、一番外側にある湾曲させた壁（２）の背面に磁石部（５）を設け、磁石部（５）を金属壁面に接触させることにより金属壁面に取りつけ、書類立て部（３）に書類やメモ用紙を立てかけて使用することができる内容を示す参考実施例図である。
【００２６】
また、磁石で取りつけることができない木製壁面やコンクリート壁面においては、ネジ部を設けてネジで取りつけたり、接着剤で接着させて取りつけて使用することができるのである。
【００２７】
磁石やネジや接着剤により本発明を壁面に取りつけるときの本発明の向きは、立てかけた書類が脱落しなければどの向きに取りつけられても良いが、一番外側に位置する湾曲させた壁（２）の背面を壁面に向け取りつけると立てかけた書類が大きくて書類の左右が書類立て部からはみ出しても壁面に遮られることがなく効果的である。
【００２８】
本発明は、腰のない書類を立てかけたまま保持し、収納・整理できるように書類を立てかけたとき書類の下部から上部にかけて湾曲状になるように立てかけられれば良いのであり、デザインや意匠を述べているものではないのである。
【００２９】
【発明の効果】
本発明は、以上述べてきたような内容で実施され、以下に記載されるような効果を奏する。
【００３０】
腰のない書類を立てかけるとき従来は、ファイルボックスやビニールファイルに書類を入れてから立てかけないと書類の途中から腰折れし立てかけたまま保持できなかったが、本発明を使用することにより簡単に立てかけられるのでいちいち収納しているファイルボックスなどから書類を取り出す面倒がないのである。
【００３１】
本発明を使用することで、溝の巾により一枚の書類から複数の書類まで書類が腰折れし倒れることなく立てかけたままの状態で収納することができ便利である。
【００３２】
本発明は、書類だけではなく同じように腰のないパンフレットを立てかけてディスプレイできるので便利である。
【００３３】
本発明は、腰のない書類を簡単に立てかけて収納・整理したり、抜き取ったりすることができるため便利である。
【００３４】
本発明は、一枚の書類から複数枚の書類まで立てかけた書類が腰折れし倒れることなく立てかけて収納しておくことができるので書類立て部を増やすことにより内容別に書類を分けて立てかけて収納・整理しておくことができ便利である。
【００３５】
本発明は、書類だけでなくメモ用紙も立てかけておくことができるので従来のようにメモ用紙が机の上に散乱することなく立てかけて収納・整理することができ便利である。
【００３６】
本発明は机の上において使用するたけでなく、磁石やネジや接着剤によりいろいろな壁面に取りつけ、書類立て部に書類を立てかけて使用することができ便利である。
【図面の簡単な説明】
【図１】本発明の斜視図である。
【図２】本発明の平面図である。
【図３】本発明の使用状態を示す図である。
【図４】本発明の参考実施例の平面図である。
【図５】本発明の参考実施例図である。
【符号の説明】
１　　基板
２　　湾曲させた壁
３　　書類立て部
４　　紙押さえ
５　　磁石部
【図１】
2004089639.tif 000003
【図２】
2004089639.tif 000004
【図３】
2004089639.tif 000005
【図４】
2004089639.tif 000006
【図５】
2004089639.tif 000007